【手続補正書】
【提出日】平成16年11月26日(2004.11.26)
【手続補正１】
【補正対象書類名】明細書
【補正対象項目名】特許請求の範囲
【補正方法】変更
【補正の内容】
【特許請求の範囲】
【請求項１】
制御入力信号の立ち上がりエッジと立ち下がりエッジを検出するエッジ検出回路と、
このエッジ検出回路で検出した制御入力信号の立ち上がりエッジまたは立ち下がりエッジに応答して、パルス状のオン信号を生成するオン信号発生回路と、
上記エッジ検出回路で検出した制御入力信号の立ち下がりエッジまたは立ち上がりエッジに応答して、パルス状の第１のオフ信号を生成する第１のオフ信号発生回路と、
上記オン信号発生回路から出力されるオン信号に応答して出力素子を駆動し、上記オフ信号発生回路から第１のオフ信号が出力されるまで上記出力素子の駆動状態を保持する状態保持回路と、
保護動作信号に応答してパルス状の第２のオフ信号を生成し、前記状態保持回路に供給することにより、上記出力素子の駆動を停止させる第２のオフ信号発生回路と
を具備することを特徴とするゲートドライバ。
【請求項２】
異常状態を検出する異常検出回路と、この異常検出回路により異常が検出されたときに保護動作信号を発生し、前記第２のオフ信号発生回路に供給する保護動作信号発生回路とを更に具備することを特徴とする請求項１に記載のゲートドライバ。
【請求項３】
前記第２のオフ信号発生回路は、前記制御入力信号がオフレベルのときのみ、前記第２のオフ信号を発生させることを特徴とする請求項１に記載のゲートドライバ。
【請求項４】
制御入力信号と保護動作信号が供給され、制御入力信号の立ち上がりエッジと立ち下がりエッジを検出し、上記保護動作信号により保護動作が指示されたときに動作が停止されるエッジ検出回路と、
このエッジ検出回路で検出した制御入力信号の立ち上がりエッジまたは立ち下がりエッジに応答して、パルス状のオン信号を生成するオン信号発生回路と、
上記エッジ検出回路で検出した制御入力信号の立ち下がりエッジまたは立ち上がりエッジに応答して、パルス状の第１のオフ信号を生成する第１のオフ信号発生回路と、
上記オン信号発生回路から出力されるオン信号に応答して出力素子を駆動し、上記第１のオフ信号発生回路から第１のオフ信号が出力されるまで上記出力素子の駆動状態を保持する状態保持回路と、
上記制御入力信号と上記保護動作信号に応答してパルス状の第２のオフ信号を生成し、上記状態保持回路に供給することにより上記出力素子の駆動を停止させ、上記制御入力信号で上記出力素子のオフが指示され、且つ上記保護動作信号で保護動作が指示されたときに上記第２のオフ信号を出力する第２のオフ信号発生回路と
を具備することを特徴とするゲートドライバ。
【請求項５】
異常状態を検出する異常検出回路と、
この異常検出回路により異常が検出されたときに保護動作信号を発生する保護動作信号発生回路と、
ハイサイドの制御入力信号、ローサイドの制御入力信号及び上記保護動作信号がそれぞれ入力され、ローサイドの制御入力信号と保護動作信号の状態からハイサイドの制御入力信号の伝達の可否を判断する第１の判定回路と、
ハイサイドの制御入力信号、ローサイドの制御入力信号及び上記保護動作信号がそれぞれ入力され、ハイサイドの制御入力信号と保護動作信号の状態からローサイドの制御入力信号の伝達の可否を判断し、ローサイド出力素子を駆動する第２の判定回路と、
上記保護動作信号が入力され、保護動作信号の発生に同期してハイサイドオフ信号を生成するためのトリガ信号を生成するトリガ信号発生回路と、
このトリガ信号発生回路から出力されるトリガ信号及び上記第１の判定回路の出力信号が供給され、ハイサイド制御入力信号の状態から上記トリガ信号の伝達可否を判断する第３の判定回路と、
上記第１の判定回路及び上記第３の判定回路の出力信号が供給され、ハイサイドの制御入力信号の立ち下がり及び上記トリガ信号の立ち下がりを検出し、パルス状のオフ信号を発生するオフ信号発生回路と、
上記第１の判定回路の出力信号が供給され、ハイサイドの制御入力信号の立ち上がりを検出し、パルス状のオン信号を発生するオン信号発生回路と、
上記オン信号発生回路から出力されるオン信号に応答してハイサイド出力素子を駆動し、上記オフ信号発生回路からオフ信号が出力されるまで上記ハイサイド出力素子の駆動状態を保持する状態保持回路と
を具備することを特徴とするゲートドライバ。
【請求項６】
ゲートドライバと、このゲートドライバによって駆動される出力素子とを単一のチップ中に集積化してなり、
上記ゲートドライバは、
制御入力信号の立ち上がりエッジと立ち下がりエッジを検出するエッジ検出回路と、
このエッジ検出回路で検出した制御入力信号の立ち上がりエッジまたは立ち下がりエッジにより、パルス状のオン信号を生成するオン信号発生回路と、
上記エッジ検出回路で検出した制御入力信号の立ち下がりエッジまたは立ち上がりエッジに応答して、パルス状の第１のオフ信号を生成する第１のオフ信号発生回路と、
上記オン信号発生回路から出力されるオン信号に応答して出力素子を駆動し、上記第１のオフ信号発生回路から第１のオフ信号が出力されるまで上記出力素子の駆動状態を保持する状態保持回路と、
保護動作信号に応答してパルス状の第２のオフ信号を生成し、前記状態保持回路に供給することにより、上記出力素子の駆動を停止させる第２のオフ信号発生回路と
を具備することを特徴とする電力変換装置。
【請求項７】
前記ゲートドライバは、異常状態を検出する異常検出回路と、この異常検出回路により異常が検出されたときに保護動作信号を発生し、前記第２のオフ信号発生回路に供給する保護動作信号発生回路とを更に具備することを特徴とする請求項６に記載の電力変換装置。
【請求項８】
前記第２のオフ信号発生回路は、前記制御入力信号がオフレベルのときのみ、前記第２のオフ信号を発生させることを特徴とする請求項６に記載の電力変換装置。
【請求項９】
ゲートドライバと、このゲートドライバによって駆動されるハイサイド出力素子及びローサイド出力素子とを単一のチップ中に集積化してなり、
異常状態を検出する異常検出回路と、
この異常検出回路により異常が検出されたときに保護動作信号を発生する保護動作信号発生回路と、
ハイサイドの制御入力信号、ローサイドの制御入力信号及び上記保護動作信号がそれぞれ入力され、ローサイドの制御入力信号と保護動作信号の状態からハイサイドの制御入力信号の伝達の可否を判断する第１の判定回路と、
ハイサイドの制御入力信号、ローサイドの制御入力信号及び上記保護動作信号がそれぞれ入力され、ハイサイドの制御入力信号と保護動作信号の状態からローサイドの制御入力信号の伝達の可否を判断し、ローサイド出力素子を駆動する第２の判定回路と、
上記保護動作信号が入力され、保護動作信号の発生に同期してパルス状のハイサイドオフ信号を生成するためのトリガ信号を生成するトリガ信号発生回路と、
このトリガ信号発生回路から出力されるトリガ信号及び上記第１の判定回路の出力信号が供給され、ハイサイド制御入力信号の状態から上記トリガ信号の伝達可否を判断する第３の判定回路と、
上記第１の判定回路及び上記第２の判定回路の出力信号が供給され、ハイサイドの制御入力信号の立ち下がり及び上記トリガ信号の立ち下がりを検出し、パルス状のオフ信号を発生するオフ信号発生回路と、
上記第１の判定回路の出力信号が供給され、ハイサイドの制御入力信号の立ち上がりを検出し、パルス状のオン信号を発生するオン信号発生回路と、
上記オン信号発生回路から出力されるオン信号に応答してハイサイド出力素子を駆動し、上記オフ信号発生回路からオフ信号が出力されるまで上記ハイサイド出力素子の駆動状態を保持する状態保持回路と
を具備することを特徴とする電力変換装置。
【手続補正２】
【補正対象書類名】明細書
【補正対象項目名】０００９
【補正方法】変更
【補正の内容】
【０００９】
【課題を解決するための手段】
この発明の一態様に係るゲートドライバは、制御入力信号の立ち上がりエッジと立ち下がりエッジを検出するエッジ検出回路と、このエッジ検出回路で検出した制御入力信号の立ち上がりエッジまたは立ち下がりエッジに応答して、パルス状のオン信号を生成するオン信号発生回路と、上記エッジ検出回路で検出した制御入力信号の立ち下がりエッジまたは立ち上がりエッジに応答して、パルス状の第１のオフ信号を生成する第１のオフ信号発生回路と、上記オン信号発生回路から出力されるオン信号に応答して出力素子を駆動し、上記オフ信号発生回路から第１のオフ信号が出力されるまで上記出力素子の駆動状態を保持する状態保持回路と、保護動作信号に応答してパルス状の第２のオフ信号を生成し、前記状態保持回路に供給することにより、上記出力素子の駆動を停止させる第２のオフ信号発生回路とを具備する。
【手続補正３】
【補正対象書類名】明細書
【補正対象項目名】００１０
【補正方法】変更
【補正の内容】
【００１０】
また、上記ゲートドライバにおいて、異常状態を検出する異常検出回路と、この異常検出回路により異常が検出されたときに保護動作信号を発生し、前記第２のオフ信号発生回路に供給する保護動作信号発生回路とを更に具備する。
【手続補正４】
【補正対象書類名】明細書
【補正対象項目名】００１１
【補正方法】変更
【補正の内容】
【００１１】
上記ゲートドライバにおいて、前記第２のオフ信号発生回路は、前記制御入力信号がオフレベルのときのみ、前記第２のオフ信号を発生させる。
【手続補正５】
【補正対象書類名】明細書
【補正対象項目名】００１２
【補正方法】変更
【補正の内容】
【００１２】
更に、この発明の一態様に係るゲートドライバは、制御入力信号と保護動作信号が供給され、制御入力信号の立ち上がりエッジと立ち下がりエッジを検出し、上記保護動作信号により保護動作が指示されたときに動作が停止されるエッジ検出回路と、このエッジ検出回路で検出した制御入力信号の立ち上がりエッジまたは立ち下がりエッジに応答して、パルス状のオン信号を生成するオン信号発生回路と、上記エッジ検出回路で検出した制御入力信号の立ち下がりエッジまたは立ち上がりエッジに応答して、パルス状の第１のオフ信号を生成する第１のオフ信号発生回路と、上記オン信号発生回路から出力されるオン信号に応答して出力素子を駆動し、上記第１のオフ信号発生回路から第１のオフ信号が出力されるまで上記出力素子の駆動状態を保持する状態保持回路と、上記制御入力信号と上記保護動作信号に応答してパルス状の第２のオフ信号を生成し、上記状態保持回路に供給することにより上記出力素子の駆動を停止させ、上記制御入力信号で上記出力素子のオフが指示され、且つ上記保護動作信号で保護動作が指示されたときに上記第２のオフ信号を出力する第２のオフ信号発生回路とを具備する。
更にまた、この発明の一態様に係るゲートドライバは、異常状態を検出する異常検出回路と、この異常検出回路により異常が検出されたときに保護動作信号を発生する保護動作信号発生回路と、ハイサイドの制御入力信号、ローサイドの制御入力信号及び上記保護動作信号がそれぞれ入力され、ローサイドの制御入力信号と保護動作信号の状態からハイサイドの制御入力信号の伝達の可否を判断する第１の判定回路と、ハイサイドの制御入力信号、ローサイドの制御入力信号及び上記保護動作信号がそれぞれ入力され、ハイサイドの制御入力信号と保護動作信号の状態からローサイドの制御入力信号の伝達の可否を判断し、ローサイド出力素子を駆動する第２の判定回路と、上記保護動作信号が入力され、保護動作信号の発生に同期してハイサイドオフ信号を生成するためのトリガ信号を生成するトリガ信号発生回路と、このトリガ信号発生回路から出力されるトリガ信号及び上記第１の判定回路の出力信号が供給され、ハイサイド制御入力信号の状態から上記トリガ信号の伝達可否を判断する第３の判定回路と、上記第１の判定回路及び上記第３の判定回路の出力信号が供給され、ハイサイドの制御入力信号の立ち下がり及び上記トリガ信号の立ち下がりを検出し、パルス状のオフ信号を発生するオフ信号発生回路と、上記第１の判定回路の出力信号が供給され、ハイサイドの制御入力信号の立ち上がりを検出し、パルス状のオン信号を発生するオン信号発生回路と、上記オン信号発生回路から出力されるオン信号に応答してハイサイド出力素子を駆動し、上記オフ信号発生回路からオフ信号が出力されるまで上記ハイサイド出力素子の駆動状態を保持する状態保持回路とを具備する。
【手続補正６】
【補正対象書類名】明細書
【補正対象項目名】００１３
【補正方法】変更
【補正の内容】
【００１３】
この発明の一態様に係る電力変換装置は、ゲートドライバと、このゲートドライバによって駆動される出力素子とを単一のチップ中に集積化してなり、上記ゲートドライバは、制御入力信号の立ち上がりエッジと立ち下がりエッジを検出するエッジ検出回路と、このエッジ検出回路で検出した制御入力信号の立ち上がりエッジまたは立ち下がりエッジにより、パルス状のオン信号を生成するオン信号発生回路と、上記エッジ検出回路で検出した制御入力信号の立ち下がりエッジまたは立ち上がりエッジに応答して、パルス状の第１のオフ信号を生成する第１のオフ信号発生回路と、上記オン信号発生回路から出力されるオン信号に応答して出力素子を駆動し、上記第１のオフ信号発生回路から第１のオフ信号が出力されるまで上記出力素子の駆動状態を保持する状態保持回路と、保護動作信号に応答してパルス状の第２のオフ信号を生成し、前記状態保持回路に供給することにより、上記出力素子の駆動を停止させる第２のオフ信号発生回路とを具備する。
【手続補正７】
【補正対象書類名】明細書
【補正対象項目名】００１４
【補正方法】変更
【補正の内容】
【００１４】
上記電力変換装置において、前記ゲートドライバは、異常状態を検出する異常検出回路と、この異常検出回路により異常が検出されたときに保護動作信号を発生し、前記第２のオフ信号発生回路に供給する保護動作信号発生回路とを更に具備する。
【手続補正８】
【補正対象書類名】明細書
【補正対象項目名】００１５
【補正方法】変更
【補正の内容】
【００１５】
上記電力変換装置において、前記第２のオフ信号発生回路は、前記制御入力信号がオフレベルのときのみ、前記第２のオフ信号を発生させる。
【手続補正９】
【補正対象書類名】明細書
【補正対象項目名】００１６
【補正方法】変更
【補正の内容】
【００１６】
また、この発明の一態様に係る電力変換装置は、ゲートドライバと、このゲートドライバによって駆動されるハイサイド出力素子及びローサイド出力素子とを単一のチップ中に集積化してなり、異常状態を検出する異常検出回路と、この異常検出回路により異常が検出されたときに保護動作信号を発生する保護動作信号発生回路と、ハイサイドの制御入力信号、ローサイドの制御入力信号及び上記保護動作信号がそれぞれ入力され、ローサイドの制御入力信号と保護動作信号の状態からハイサイドの制御入力信号の伝達の可否を判断する第１の判定回路と、ハイサイドの制御入力信号、ローサイドの制御入力信号及び上記保護動作信号がそれぞれ入力され、ハイサイドの制御入力信号と保護動作信号の状態からローサイドの制御入力信号の伝達の可否を判断し、ローサイド出力素子を駆動する第２の判定回路と、上記保護動作信号が入力され、保護動作信号の発生に同期してパルス状のハイサイドオフ信号を生成するためのトリガ信号を生成するトリガ信号発生回路と、このトリガ信号発生回路から出力されるトリガ信号及び上記第１の判定回路の出力信号が供給され、ハイサイド制御入力信号の状態から上記トリガ信号の伝達可否を判断する第３の判定回路と、上記第１の判定回路及び上記第２の判定回路の出力信号が供給され、ハイサイドの制御入力信号の立ち下がり及び上記トリガ信号の立ち下がりを検出し、パルス状のオフ信号を発生するオフ信号発生回路と、上記第１の判定回路の出力信号が供給され、ハイサイドの制御入力信号の立ち上がりを検出し、パルス状のオン信号を発生するオン信号発生回路と、上記オン信号発生回路から出力されるオン信号に応答してハイサイド出力素子を駆動し、上記オフ信号発生回路からオフ信号が出力されるまで上記ハイサイド出力素子の駆動状態を保持する状態保持回路とを具備する。
【手続補正１０】
【補正対象書類名】明細書
【補正対象項目名】００１７
【補正方法】変更
【補正の内容】
【００１７】
上記のような構成によれば、制御入力信号の入力が停止されている時に、何らかの原因で出力素子がオンした場合にも、保護動作信号の入力に応答して保護動作時オフ信号発生回路からオフ信号を出力して出力素子をオフすることができる。よって、出力素子が誤ってオン状態を保持している場合にも、異常動作を解消でき、出力素子の破壊を防止できる。
【手続補正１１】
【補正対象書類名】明細書
【補正対象項目名】００１８
【補正方法】変更
【補正の内容】
【００１８】
また、上記のような構成によれば、ゲートドライバ内に異常検出回路と保護動作信号発生回路を設けたので、外付けの回路で異常検出回路や保護動作信号発生回路を構成する必要がなく、省スペース化、低コスト化が図れる。
【手続補正１２】
【補正対象書類名】明細書
【補正対象項目名】００１９
【補正方法】変更
【補正の内容】
【００１９】
更に、上記のような構成によれば、制御入力信号がオフレベルのときのみ、保護動作時オフ信号発生回路からオフ信号が出力されるので、保護動作時オフ信号発生回路がノイズ等で誤動作しても、出力素子のオン状態を保つことができ、その都度出力素子をオフにすることがなく、本来オンとなるべき出力素子がオフとなる誤動作を起こすのを防止できる。これによって、イミュニティの向上が図れる。
【手続補正１３】
【補正対象書類名】明細書
【補正対象項目名】００２０
【補正方法】変更
【補正の内容】
【００２０】
また、上記の構成では、ハイサイド出力素子とローサイド出力素子を用いる場合に、異常検出回路によって異常が検出されたときに、異常動作を起こしている可能性があるハイサイド出力素子側を確実にオフすることができ、異常動作を解消して出力素子の破壊を効果的に防止できる。
【手続補正１４】
【補正対象書類名】明細書
【補正対象項目名】００２１
【補正方法】変更
【補正の内容】
【００２１】
更に、上述したような構成によれば、ゲートドライバと出力素子を単一のチップ中に形成するので、電力変換装置の省スペース化、並びに低コスト化が図れる。